(57)【要約】      （修正有）【課題】通常は道路の保全や補修のために使用できる車両をそのまま、植栽刈り取り作業にも使用できる車載用植栽刈取機を提供する。【解決手段】車両（小型トラック３０）の荷台３１の床面３２に固定される基台１と、基台１に下端部が取り付けられた支持台２，３，４と、支持台２，３，４に高さ調整可能に設置され、小型トラック３０の車幅よりも内側に収まる寸法の可動台５と、可動台５に回動自在に取り付けられ、草刈機２０の本体部２１が固定される草刈機取付台６とからなる。草刈機使用時には草刈機取付台６に取り付けられた草刈機２０の刃２２が小型トラック３０の荷台の側部から外側に水平方向に突出するように移動し、草刈機非使用時には草刈機取付台６に取り付けられた草刈機２０が小型トラック３０の車幅以内に収まるように移動可能として車載用植栽刈取機を構成する。【選択図】図１
0003168171.tif 000002
【実用新案登録請求の範囲】
【請求項１】
車両の荷台の床面に固定される基台と、前記基台に下端部が取り付けられた支持台と、前記支持台に高さ調整可能に設置され、前記車両の車幅よりも内側に収まる寸法の可動台と、前記可動台に移動自在に取り付けられ、草刈機の本体部が固定される草刈機取付台とからなり、草刈機使用時には前記草刈機取付台に取り付けられた草刈機の刃が前記車両の荷台の側部から外側に水平方向に突出するように移動し、草刈機非使用時には前記草刈機取付台に取り付けられた草刈機が前記車両の車幅以内に収まるように移動可能であることを特徴とする車載用植栽刈取機。
【請求項２】
草刈機使用時には前記草刈機取付台に取り付けられた草刈機の刃が前記車両の荷台の側部から外側に水平方向に突出するように移動するとともに、先端の取付台部の角度が水平から鉛直まで可変できる草刈機取付台を有する請求項１記載の車載用植栽刈取機。
【請求項３】
前記草刈機は、それぞれが側部に複数の刃を所定間隔で設けた第１の刃体と第２の刃体が互いに逆方向に往復動して前記刃により植栽を刈り取るバリカン式草刈機である請求項１または２記載の車載用植栽刈取機。
【請求項４】
前記草刈機は、回転刃式草刈機である請求項１または２記載の車載用植栽刈取機。
【考案の詳細な説明】
【技術分野】
【０００１】
本考案は、道路の路肩や中央分離帯に築造された植栽を刈り取るための車載用植栽の刈取機に関する。
【背景技術】
【０００２】
道路の路肩や中央分離帯には、法面保護や環境、景観の向上のため、植栽が施されている。かかる場所の植栽においては、植物の管理を怠ると、景観が悪くなるほかに、植物が成長して車道側にはみ出して、反射誘導標や距離標が隠れたり、最悪の場合は走行車両に接触するなど、車両の走行の安全性が損なわれる。そこで、美観の維持および車両の走行の安全性を確保するために、定期的に植物の刈り取りが行われている。このような植物の刈り取りは、従来では作業員が草刈機等を用いて手作業で行っていた。
【０００３】
特に、植栽の頂部を刈り揃える場合、地面からでは頂部が見えないので、脚立をガードレールと樹木との間の狭い場所に設置し、その上に乗って草刈機で刈っている。しかし、ガードレールと樹木との間は狭いので、脚立が設置しにくい場合もある。さらに、路肩の外側から作業をしなければならない場合、路肩の盛土部は斜面になっているため、脚立設置ができないという問題がある。
【０００４】
このように、手作業による植物の刈り取りや手入れは、作業員の負担が大きく、また時間も長く掛かっていた。その間は、刈り取り作業や刈った葉の清掃作業の安全のため、特定の車線を通行規制しており、そのため、交通渋滞の原因ともなっていた。
【０００５】
植物の刈り取りの効率化を図るため、特許文献１には、植栽を刈り取る自動刈取装置と、該自動刈取装置にて刈り取られた木片等を吸引する吸引装置とを搭載した植栽刈取車両を使用し、植栽刈取車両を走行させながら、植栽の刈り取りを行い、次いで刈り取られた木片等を吸引し、好ましくは、植栽刈取車両を走行させながら、吸引された木片等を袋詰めし、また、好ましくは、植栽刈取車両に複数の標識塔を牽引させる植栽の刈り取り方法が開示されている。
【先行技術文献】
【特許文献】
【０００６】
【特許文献１】特開２００４−３０５０４７号公報
【考案の概要】
【考案が解決しようとする課題】
【０００７】
前掲の特許文献１に開示された植栽刈取車両は、自動刈取装置や袋詰装置を搭載した植栽刈り取りの専用の車両であるため、車両自体のコストが嵩み、それ以外の用途には使いづらい。道路の保全や補修のためには、通常、小型トラック程度のサイズの車両が使用され、補修機材や交通規制のための標識等が荷台に積載される。
本考案は、通常は道路の保全や補修のために使用できる車両をそのまま、植栽刈り取り作業にも使用できる車載用植栽刈取機を提供することを目的とする。
【課題を解決するための手段】
【０００８】
前記課題を解決するため、本考案の車載用植栽刈取機は、車両の荷台の床面に固定される基台と、前記基台に下端部が取り付けられた支持台と、前記支持台に高さ調整可能に設置され、前記車両の車幅よりも内側に収まる寸法の可動台と、前記可動台に移動自在に取り付けられ、草刈機の本体部が固定される草刈機取付台とからなり、草刈機使用時には前記草刈機取付台に取り付けられた草刈機の刃が前記車両の荷台の側部から外側に水平方向に突出するように移動し、草刈機非使用時には前記草刈機取付台に取り付けられた草刈機が前記車両の車幅以内に収まるように移動可能であることを特徴とする。
【０００９】
本考案においては、車両の荷台の床面に予めボルト穴を開け、そのボルト穴の奥にナットを溶接しておくなど、基台を固定できるようにしておく。
【００１０】
本考案の車載用植栽刈取機を車両に取り付けるには、基台を車両の荷台の床面にボルト等で固定し、草刈機取付台に草刈機の基部を固定する。作業を行わないときは、草刈機取付台は車両の車幅以内に収まるようにしておく。作業現地まで車両を移動したとき、草刈機取付台に取り付けられた草刈機を車両の側部から外側に水平方向に突出させ、刈り取るべき植栽の頂部の目標高さに草刈機の刃の高さとなるように、可動台の高さを調節する。その状態で草刈機を始動させ、道路の路肩、または中央分離帯の植栽に車両を接近させ、植栽の列植方向に車両を進行させながら頂部を刈り取っていく。これにより、植栽を所定の高さに刈り揃えていく。
ここで、先端の取付台部の角度を水平から鉛直まで可変できる草刈機取付台とすることにより、植栽の頂部を水平方向に刈ったり、角部を斜め方向に刈ったり、端部を垂直方向に刈ったりするなど、任意の角度で刈り取ることができる。
なお、草刈機としては、刈り取り長が長いバリカン式の草刈機を用いることが好ましいが、刈り取る植栽の樹径が太い場合は、刈り取り能力の優れた回転刃式のものを使用することができる。
【００１１】
草刈り作業が終了すると、草刈機の運転を停止し、草刈機を取り付けている草刈機取付台を車両の内部に退避させ、車両の走行に支障の無いようにする。なお、草刈り作業を行わないときも、本考案の車載用植栽刈取機を車両から取り外すことは必ずしも必要ではなく、草刈り作業が必要なときのみ、草刈機を使用することができる。
このように、本考案の車載用植栽刈取機は、車両の荷台に簡単に固定することができるので、通常の道路保全・補修用の小型トラックに常時搭載しておいても、荷台の空きスペースを利用して、草刈り作業以外の作業を支障なく行うことができる。
【考案の効果】
【００１２】
本考案の車載用植栽刈取機によれば、車両の荷台の床面に固定される基台と、前記基台に下端部が取り付けられた支持台と、前記支持台に高さ調整可能に設置され、前記車両の車幅よりも内側に収まる寸法の可動台と、前記可動台に移動自在に取り付けられ、草刈機の本体部が固定される草刈機取付台とからなり、草刈機使用時には前記草刈機取付台に取り付けられた草刈機の刃が前記車両の荷台の側部から外側に水平方向に突出するように移動し、草刈機非使用時には前記草刈機取付台に取り付けられた草刈機が前記車両の車幅以内に収まるように移動可能であることにより、通常は高速道路の保全や補修のために使用できる車両をそのまま、植栽刈取作業にも使用できる。
【図面の簡単な説明】
【００１３】
【図１】本考案の実施の形態に係る車載用植栽刈取機を軽トラックの荷台に固定した状態を示す斜視図である。
【図２】本考案の実施の形態に係る車載用植栽刈取機を軽トラックの荷台に固定した状態を示す背面図である。
【図３】本考案の実施の形態に係る車載用植栽刈取機の草刈機取付台の可動部の状態を示す要部拡大図である。
【図４】本考案の実施の形態に係る車載用植栽刈取機の使用状態を示す説明図である。
【考案を実施するための形態】
【００１４】
以下、本考案の実施の形態を、図面を参照しながら説明する。
図１に示すように、本考案の実施の形態に係る車載用植栽刈取機は、車両、本実施の形態では小型トラック３０の荷台３１の床面３２にボルト１０、ナット１１等により固定される基台１と、基台１に下端部が取り付けられた左右の支持台２，３，４と、支持台２，３，４に高さ調整可能に設置され、小型トラック３０の車幅よりも内側に収まる寸法の可動台５と、可動台５に移動自在に取り付けられ、草刈機２０の本体２１が固定される草刈機取付台６とからなる。
【００１５】
支持台２，３は固定杆２ａ，３ａと昇降管２ｂ，３ｂにより構成されており、可動台５の高さを調整して固定ハンドル３ｃにより固定できるようになっている。また、可動台５も、固定管５ａと伸縮杆５ｂにより構成されており、固定ハンドル５ｃにより固定できるようになっている。可動台５の伸縮杆５ｂの端部には固定板５ｄが溶接などにより固定されており、固定板５ｄの上部には蝶番７により回動自在に可動板６ａが取り付けられていて、この可動板６ａに草刈機取付台６の基端部が溶接などにより固定されている。草刈機取付台６の他端部には固定棒６ｂを取り付け、可動台５の固定リング５ｅと固定棒６ｂの先端とを結合することができるようにする。この構成により、草刈機取付台６は草刈機２０を取り付けた状態で、小型トラック３０の走行時や非使用時には蝶番７を軸として小型トラック３０の荷台３１の内側に折り畳んでおき、固定棒６ｂの先端を可動台５の固定リング５ｅと結合することにより、折り畳んだ状態で固定することができる。
【００１６】
草刈機使用時には固定棒６ｂの先端と可動台５の固定リング５ｅとの結合を外し、草刈機取付台６に取り付けられた草刈機２０の刃２２が小型トラック３０の荷台３１の側部から外側に水平方向に突出するように可動板６ａを蝶番７を支点として回動させる（図２の一点鎖線参照）。固定板５ｄと可動板６ａは、ボルト（図示せず）等で一体に固定する。
【００１７】
なお、草刈機取付台６は、図２に一点鎖線で示す水平方向のほかに、図３に示す断面くさび状の角度調整治具８を固定板５ｄと可動板６ａとの間に入れてボルト等で固定することにより、４５度、９０度などの角度で草刈機２０の刃２２の角度を固定することができる。
【００１８】
図４は、植栽刈取車両を植栽Ｔの植列方向に走行させながら植栽Ｔの葉を手入れする際の草刈機の刃の角度を示しており、植栽Ｔの頂部を水平に刈り取る場合は水平に調整した刃２２Ａを用い、斜め４５度に角を刈り取る場合は４５度に調整した刃２２Ｂを用い、側部を垂直に刈り取る場合は９０度に調整した刃２２Ｃを用いることができる。
このようにして、任意の角度に刃２２を調整しながら、草刈りを行うことができる。
【００１９】
草刈りが終了すると、小型トラック３０の荷台３１の側部から出た草刈機２０の刃２２は邪魔であるとともに危険であるので、可動板６ａと固定板５ｄを固定しているボルトを外し、蝶番７の回りに取付台６を折り畳んで小型トラック３０の荷台３１の内部に収納させ、小型トラック３０の走行に支障の無いようにする。なお、草刈り作業を行わないときも、車載用植栽刈取機を車両から取り外すことは必ずしも必要ではなく、草刈り作業が必要なときのみ、草刈機２０を使用することができる。
【００２０】
このように、本実施の形態の車載用植栽刈取機は、小型トラック３０の荷台３１に簡単に固定することができるので、通常の道路保全・補修用の小型トラックに常時搭載しておいても、荷台の空きスペースを利用して、草刈り作業以外の作業を支障なく行うことができる。
【００２１】
なお、草刈機２０としては、刈り取り長が長いバリカン式の草刈機を用いることが好ましいが、刈り取る植栽の樹径が太い場合は、刈り取り能力の優れた回転刃式のものを使用することができる。
【産業上の利用可能性】
【００２２】
本考案は、通常は道路の保全や補修のために使用できる車両をそのまま、植栽刈り取り作業にも使用できる車載用植栽刈取機とすることができ、高速道路や一般道路における保守、保全車両として好適に利用することができる。
【符号の説明】
【００２３】
１  基台
２，３，４  支持台
２ａ，３ａ  固定杆
２ｂ、３ｂ  昇降管
３ｃ  固定ハンドル
５  可動台
５ａ  固定管
５ｂ  伸縮杆
５ｃ  固定ハンドル
５ｄ  固定板
５ｅ  固定リング
６  草刈機取付台
６ａ  可動板
６ｂ  固定棒
７  蝶番
８  角度調整治具
１０  ボルト
１１  ナット
２０  草刈機
２１  草刈機本体
２２  刃
３０  小型トラック
３１  荷台
３２  床面
【図１】
0003168171.tif 000003
【図２】
0003168171.tif 000004
【図３】
0003168171.tif 000005
【図４】
0003168171.tif 000006